【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
パブリックランドモバイルネットワーク(PLMN)探索を実施する方法であって、前記方法が、
ユーザ機器のサービングセルのためのページングスケジュールを決定するステップであって、前記サービングセルが第1のPLMNに関連付けられ、前記ページングスケジュールが1つまたは複数のページング機会を定義する、ステップと、
連続したページング機会の間で第2のPLMNの探索を開始するステップと、
前記第2のPLMNのセルのブロードキャストチャネル上でマスタ情報ブロック(MIB)を読み取るステップと、
前記ユーザ機器によって、前記MIBにおいて提供されたスケジューリング情報に基づいて、前記第2のPLMNの前記セルの前記ブロードキャストチャネル上でシステム情報ブロック(SIB)の少なくとも一部分を読み取るステップと、
部分的に読み取られたSIBが前記1つまたは複数のページング機会のうちの第1のページング機会と少なくとも部分的に同時に送信のためにスケジュールされ、前記部分的に読み取られたSIBが前記第2のPLMNを識別するための情報を含まないとき、部分的に読み取られたSIBの読取りを中止するステップと、
前記部分的に読み取られたSIBが前記第1のページング機会と少なくとも部分的に同時に送信のためにスケジュールされ、前記部分的に読み取られたSIBが前記第2のPLMNを識別するための前記情報を含むとき、前記第1のページング機会を無視するステップと
を含む方法。
【請求項２】
前記第1のPLMNが訪問先PLMNであり、前記ページングスケジュールを決定するステップが、前記ユーザ機器が前記サービングセルにキャンプオンしている間にシステム情報を受信するステップを含む、請求項1に記載の方法。
【請求項３】
前記第2のPLMNの前記探索がホームPLMNを見つけるために開始される、請求項2に記載の方法。
【請求項４】
前記部分的に読み取られたSIBがSIB-1またはSIB-3を含む、請求項1に記載の方法。
【請求項５】
前記部分的に読み取られたSIBの読取りを中止するステップが、
前記第2のPLMNの前記セルの前記ブロードキャストチャネルから受信された前記MIBまたは1つもしくは複数のSIBのうちの少なくとも1つを記憶媒体に記憶するステップと、
前記第1のページング機会に基づいてかつ前記記憶媒体に前記記憶するステップの後に、前記サービングセルからページを受信するステップと
を含む、請求項1に記載の方法。
【請求項６】
前記ページを受信した後、前記記憶媒体から前記MIBまたは前記1つもしくは複数のSIBのうちの前記少なくとも1つを取り出すステップと、
前記記憶媒体から前記MIBまたは前記1つもしくは複数のSIBのうちの前記少なくとも1つを取り出した後、前記第2のPLMNの前記セルの前記ブロードキャストチャネル上で前記部分的に読み取られたSIBを読み取るステップと
をさらに含む、請求項5に記載の方法。
【請求項７】
前記部分的に読み取られたSIBの読取りが中止されたとき、前記第2のPLMNの前記セルの前記ブロードキャストチャネルから受信された前記MIBを記憶媒体に記憶するステップと、
前記第1のページング機会に基づいてかつ前記記憶媒体に前記記憶するステップの後に、前記サービングセルからページを受信するステップと、
前記ページを受信した後、前記記憶媒体から前記MIBを取り出すステップと、
前記MIBを取り出した後、前記第2のPLMNの前記セルの前記ブロードキャストチャネル上で前記部分的に読み取られたSIBを読み取るステップと
をさらに含む、請求項1に記載の方法。
【請求項８】
前記第2のPLMNを識別するための前記情報が、モバイル国コード、モバイルネットワークコード、または前記第2のPLMNに関連付けられたサービスプロバイダを識別する情報のうちの1つまたは複数を含む、請求項1に記載の方法。
【請求項９】
ワイヤレス通信用に構成されたユーザ機器であって、前記ユーザ機器が、
少なくとも1つのプロセッサと、
前記少なくとも1つのプロセッサに結合されたメモリと、
前記少なくとも1つのプロセッサに結合されたワイヤレス通信インターフェースと
を備え、前記少なくとも1つのプロセッサが、
前記ユーザ機器のサービングセルのためのページングスケジュールを決定することであって、前記サービングセルが第1のPLMNに関連付けられ、前記ページングスケジュールが1つまたは複数のページング機会を定義する、決定することと、
連続したページング機会の間で第2のPLMNの探索を開始することと、
前記第2のPLMNのセルのブロードキャストチャネル上でマスタ情報ブロック(MIB)を読み取ることと、
前記MIBにおいて提供されたスケジューリング情報に基づいて、前記第2のPLMNの前記セルの前記ブロードキャストチャネル上でシステム情報ブロック(SIB)の少なくとも一部分を読み取ることと、
部分的に読み取られたSIBが前記1つまたは複数のページング機会のうちの第1のページング機会と少なくとも部分的に同時に送信のためにスケジュールされ、前記部分的に読み取られたSIBが前記第2のPLMNを識別するための情報を含まないとき、部分的に読み取られたSIBの読取りを中止することと、
前記部分的に読み取られたSIBが前記第1のページング機会と少なくとも部分的に同時に送信のためにスケジュールされ、前記部分的に読み取られたSIBが前記第2のPLMNを識別するための前記情報を含むとき、前記第1のページング機会を無視することと
を行うように構成される、ユーザ機器。
【請求項１０】
前記第1のPLMNが訪問先PLMNであり、前記第2のPLMNの前記探索が前記ユーザ機器に関連付けられたホームPLMNを見つけるために開始される、請求項9に記載のユーザ機器。
【請求項１１】
前記第2のPLMNを識別するための前記情報が、SIB-1またはSIB-3において提供された情報を含む、請求項9に記載のユーザ機器。
【請求項１２】
前記少なくとも1つのプロセッサが、
前記部分的に読み取られたSIBが前記第1のページング機会と少なくとも部分的に同時に送信のためにスケジュールされるとき、前記部分的に読み取られたSIBの読取りを中止する前に前記MIBまたは1つもしくは複数のSIBのうちの少なくとも1つを前記メモリに記憶し、
前記MIBまたは1つもしくは複数のSIBのうちの前記少なくとも1つを前記メモリに記憶した後、前記サービングセルからページを受信する
ように構成される、請求項9に記載のユーザ機器。
【請求項１３】
前記少なくとも1つのプロセッサが、
前記ページを受信した後、前記メモリから前記MIBまたは1つもしくは複数のSIBのうちの前記少なくとも1つを取り出し、
前記MIBまたは1つもしくは複数のSIBのうちの前記少なくとも1つを取り出した後、前記第2のPLMNに対応する前記セルの前記ブロードキャストチャネル上で前記部分的に読み取られたSIBを読み取る
ように構成される、請求項12に記載のユーザ機器。
【請求項１４】
前記少なくとも1つのプロセッサが、
前記部分的に読み取られたSIBの読取りが中止されたとき、前記第2のPLMNの前記セルの前記ブロードキャストチャネルから受信された前記MIBを記憶媒体に記憶し、
前記第1のページング機会に基づいてかつ前記記憶媒体に前記記憶することの後に、前記サービングセルからページを受信し、
前記ページを受信した後、前記記憶媒体から前記MIBを取り出し、
前記MIBを取り出した後、前記第2のPLMNの前記セルの前記ブロードキャストチャネル上で前記部分的に読み取られたSIBを読み取る
ように構成される、請求項9に記載のユーザ機器。
【請求項１５】
前記第2のPLMNを識別するための前記情報が、モバイル国コード、モバイルネットワークコード、または前記第2のPLMNに関連付けられたサービスプロバイダを識別する情報のうちの1つまたは複数を含む、請求項9に記載のユーザ機器。
【請求項１６】
ワイヤレス通信用に構成されたユーザ機器を備える装置であって、前記ユーザ機器が、
前記ユーザ機器のサービングセルのためのページングスケジュールを決定するための手段であって、前記サービングセルが第1のPLMNに関連付けられ、前記ページングスケジュールが1つまたは複数のページング機会を定義する、手段と、
連続したページング機会の間で第2のPLMNの探索を開始するための手段と、
前記第2のPLMNのセルのブロードキャストチャネル上でマスタ情報ブロック(MIB)を読み取り、前記MIBにおいて提供されたスケジューリング情報に基づいて、前記第2のPLMNの前記セルの前記ブロードキャストチャネル上で少なくとも1つのシステム情報ブロック(SIB)を読み取るための手段と、
部分的に読み取られたSIBが前記第2のPLMNを識別するための情報を含むかどうかを識別するための手段と、
ページを受信するために部分的に読み取られたSIBの読取りを中止するかどうかを判断するための手段であって、前記部分的に読み取られたSIBが前記1つまたは複数のページング機会のうちの第1のページング機会と少なくとも部分的に同時に送信のためにスケジュールされ、前記部分的に読み取られたSIBが前記第2のPLMNを識別するための前記情報を含まないとき、前記部分的に読み取られたSIBの読取りが中止され、前記部分的に読み取られたSIBが前記第1のページング機会と少なくとも部分的に同時に送信のためにスケジュールされ、前記部分的に読み取られたSIBが前記第2のPLMNを識別するための前記情報を含むとき、前記第1のページング機会が無視される、手段と
を備える、装置。
【請求項１７】
前記第1のPLMNが訪問先PLMNであり、前記第2のPLMNの前記探索が前記ユーザ機器に関連付けられたホームPLMNを見つけるために開始される、請求項16に記載の装置。
【請求項１８】
前記第2のPLMNを識別するための前記情報が、SIB-1またはSIB-3において提供された情報を含む、請求項16に記載の装置。
【請求項１９】
前記部分的に読み取られたSIBが前記第1のページング機会と少なくとも部分的に同時に送信のためにスケジュールされるとき、前記部分的に読み取られたSIBの読取りを中止する前に前記MIBまたは1つもしくは複数のSIBのうちの少なくとも1つを前記装置のメモリに記憶するための手段であって、前記MIBまたは1つもしくは複数のSIBのうちの前記少なくとも1つを前記メモリに記憶した後、ページが前記サービングセルから受信される、手段
をさらに備える、請求項16に記載の装置。
【請求項２０】
前記ページを受信した後、前記メモリから前記MIBまたは1つもしくは複数のSIBのうちの前記少なくとも1つを取り出すための手段であって、前記MIBまたは1つもしくは複数のSIBのうちの前記少なくとも1つを取り出した後、前記部分的に読み取られたSIBが前記第2のPLMNに対応する前記セルの前記ブロードキャストチャネル上で読み取られる、手段をさらに備える、請求項19に記載の装置。
【請求項２１】
前記部分的に読み取られたSIBの読取りが中止されたとき、前記第2のPLMNの前記セルの前記ブロードキャストチャネルから受信された前記MIBを記憶媒体に記憶するための手段であって、前記第1のページング機会に基づいてかつ前記記憶媒体に前記記憶することの後に、ページが前記サービングセルから受信される、手段と、
前記ページを受信した後、前記記憶媒体から前記MIBを取り出すための手段であって、前記MIBを取り出した後、前記部分的に読み取られたSIBが前記第2のPLMNの前記セルの前記ブロードキャストチャネル上で読み取られる、手段と
をさらに備える、請求項16に記載の装置。
【請求項２２】
前記第2のPLMNを識別するための前記情報が、モバイル国コード、モバイルネットワークコード、または前記第2のPLMNに関連付けられたサービスプロバイダを識別する情報のうちの1つまたは複数を含む、請求項16に記載の装置。
【請求項２３】
ユーザ機器のサービングセルのためのページングスケジュールを決定するステップであって、前記サービングセルが第1のPLMNに関連付けられ、前記ページングスケジュールが1つまたは複数のページング機会を定義する、ステップと、
連続したページング機会の間で第2のPLMNの探索を開始するステップと、
前記第2のPLMNのセルのブロードキャストチャネル上でマスタ情報ブロック(MIB)を読み取るステップと、
前記ユーザ機器によって、前記MIBにおいて提供されたスケジューリング情報に基づいて、前記第2のPLMNの前記セルの前記ブロードキャストチャネル上でシステム情報ブロック(SIB)の少なくとも一部分を読み取るステップと、
部分的に読み取られたSIBが前記1つまたは複数のページング機会のうちの第1のページング機会と少なくとも部分的に同時に送信のためにスケジュールされ、前記部分的に読み取られたSIBが前記第2のPLMNを識別するための情報を含まないとき、部分的に読み取られたSIBの読取りを中止するステップと、
前記部分的に読み取られたSIBが前記第1のページング機会と少なくとも部分的に同時に送信のためにスケジュールされ、前記部分的に読み取られたSIBが前記第2のPLMNを識別するための前記情報を含むとき、前記第1のページング機会を無視するステップと
のためのコードを備えるコンピュータ可読記憶媒体。
【請求項２４】
前記第1のPLMNが訪問先PLMNであり、前記ページングスケジュールを前記決定するステップが、前記ユーザ機器が前記サービングセルにキャンプオンしている間にシステム情報を受信するステップを含む、請求項23に記載のコンピュータ可読記憶媒体。
【請求項２５】
前記第2のPLMNの前記探索がホームPLMNを見つけるために開始される、請求項24に記載のコンピュータ可読記憶媒体。
【請求項２６】
前記部分的に読み取られたSIBがSIB-1またはSIB-3のうちの少なくとも1つを含む、請求項23に記載のコンピュータ可読記憶媒体。
【請求項２７】
前記部分的に読み取られたSIBの読取りを前記中止するステップが、
前記第2のPLMNの前記セルの前記ブロードキャストチャネルから受信された前記MIBまたは1つもしくは複数のSIBのうちの少なくとも1つを記憶媒体に記憶するステップと、
前記第1のページング機会に基づいてかつ前記記憶媒体に前記記憶するステップの後に、前記サービングセルからページを受信するステップと
を含む、請求項23に記載のコンピュータ可読記憶媒体。
【請求項２８】
前記ページを受信した後、前記記憶媒体から前記MIBまたは1つもしくは複数のSIBのうちの前記少なくとも1つを取り出すステップと、
前記記憶媒体から前記MIBまたは前記1つもしくは複数のSIBのうちの前記少なくとも1つを取り出した後、前記第2のPLMNの前記セルの前記ブロードキャストチャネル上で前記部分的に読み取られたSIBを読み取るステップと
のためのコードをさらに備える、請求項23に記載のコンピュータ可読記憶媒体。
【請求項２９】
前記部分的に読み取られたSIBの読取りが中止されたとき、前記第2のPLMNの前記セルの前記ブロードキャストチャネルから受信された前記MIBを記憶媒体に記憶するステップと、
前記第1のページング機会に基づいてかつ前記記憶媒体に前記記憶するステップの後に、前記サービングセルからページを受信するステップと、
前記ページを受信した後、前記記憶媒体から前記MIBを取り出すステップと、
前記MIBを取り出した後、前記第2のPLMNの前記セルの前記ブロードキャストチャネル上で前記部分的に読み取られたSIBを読み取るステップと
のためのコードをさらに備える、請求項23に記載のコンピュータ可読記憶媒体。
【請求項３０】
前記第2のPLMNを識別するための前記情報が、モバイル国コード、モバイルネットワークコード、または前記第2のPLMNに関連付けられたサービスプロバイダを識別する情報のうちの1つまたは複数を含む、請求項23に記載のコンピュータ可読記憶媒体。